(57)【要約】【課題】仮想通貨におけるマイニングのための処理を実施するマイニング装置を、安定して稼働させることが可能な技術を提供する。【解決手段】パチンコ遊技場において、遊技機用椅子５の着座部１１の下側面に、マイニング装置としてのマイニングマシンが取り付けられている。更に、遊技機用椅子５には、床７から着座部１１のマイニングマシン２１に向けて、電力供給用の電源線２４と、通信ケーブル２８とが配設されている。そして、電源線２４の先端には、マイニングマシン２１において電力を受けるために設けられているコネクタに接続される電源コネクタ２６があり、通信ケーブル２８の先端には、マイニングマシン２１の通信ポートに接続される通信コネクタ２９がある。更に、電源線２４と通信ケーブル２８は、着座部１１がスライドすることを妨げないように、弛みを持たせて配設されている。【選択図】図２
2020075034.tif 000002
【特許請求の範囲】
【請求項１】
パチンコ遊技場であって、
仮想通貨におけるマイニングのための処理を実施するマイニング装置に電力を供給するための電源線と、
前記電源線の先に設けられ、前記マイニング装置において電力を受けるために設けられているコネクタに接続されることにより、前記マイニング装置に電力を供給する電源コネクタと、
前記マイニング装置を通信ネットワークに接続するための通信ケーブルと、
前記通信ケーブルの先に設けられ、前記マイニング装置の通信ポートに接続されることにより、前記マイニング装置を前記通信ネットワークに接続する通信コネクタと、を備える、
パチンコ遊技場。
【請求項２】
請求項１に記載のパチンコ遊技場であって、
当該パチンコ遊技場に設置される遊技機の遊技者が着座する着座部と、前記着座部において前記遊技者が着座する側の上側面とは反対側の下側面から下方に伸び、下端部が当該パチンコ遊技場の床に固定された支柱部と、を有する遊技機用椅子を備え、
前記着座部の下側面に、前記マイニング装置が取り付けられている、
パチンコ遊技場。
【請求項３】
請求項２に記載のパチンコ遊技場であって、
前記遊技機用椅子は、前記着座部が前記支柱部に対して前記床と平行な方向に所定長さだけスライドできるように構成され、
前記電源線及び前記通信ケーブルは、前記床から前記着座部の下側面に取り付けられた前記マイニング装置に向けて配設され、
更に、前記電源線及び前記通信ケーブルは、前記電源コネクタ及び前記通信コネクタが前記マイニング装置の前記コネクタ及び前記通信ポートに接続されている状態で、前記着座部が前記支柱部に対して前記所定長さだけスライドすることを妨げないように、弛みを持たせて配設されている、
パチンコ遊技場。
【発明の詳細な説明】
【技術分野】
【０００１】
本開示は、パチンコ遊技場に関する。
【背景技術】
【０００２】
例えば、下記特許文献１には、複数の遊技機が設けられたパチンコ遊技場が記載されている。また、法定通貨に代わる通貨として、仮想通貨を利用した商品の取引が普及してきている。例えば、下記特許文献２には、仮想通貨におけるマイニング（即ち、採掘）のための処理と、その処理を実施する端末とが、記載されている。仮想通貨におけるマイニング（以下、仮想通貨マイニングとも言う）は、仮想通貨の取引を承認するための計算作業のことである。
【先行技術文献】
【特許文献】
【０００３】
【特許文献１】特開２００８−２４６１９８号公報
【特許文献２】特許第６３４５８７１号公報
【発明の概要】
【発明が解決しようとする課題】
【０００４】
発明者の詳細な検討の結果、仮想通貨マイニングのための処理を実施するマイニング装置を安定して稼働させるのに適した技術がない、という課題が見出された。
そこで、本開示の一局面は、マイニング装置を安定して稼働させることが可能な技術を提供する。
【課題を解決するための手段】
【０００５】
本開示の一態様によるパチンコ遊技場は、仮想通貨におけるマイニングのための処理を実施するマイニング装置に電力を供給するための電源線と、電源線の先に設けられ、マイニング装置において電力を受けるために設けられているコネクタに接続されることにより、マイニング装置に電力を供給する電源コネクタと、マイニング装置を通信ネットワークに接続するための通信ケーブルと、通信ケーブルの先に設けられ、マイニング装置の通信ポートに接続されることにより、マイニング装置を通信ネットワークに接続する通信コネクタと、を備える。
【０００６】
この構成によれば、パチンコ遊技場において、マイニング装置に電力を供給することと、マイニング装置を通信ネットワークに接続することとを、簡単に実現することができ、マイニング装置をパチンコ遊技場で稼働させることができる。マイニング装置は、処理を実施するために、多くの電力を消費すると共に、多くの熱を発する傾向にあるが、パチンコ遊技場では、電力も十分に確保でき、空調も完備されている。このため、マイニング装置への安定した電力供給がし易く、マイニング装置の過熱も回避し易い。よって、マイニング装置を安定して稼働させることができる。
【０００７】
また、冬季においては、マイニング装置の発熱により、パチンコ遊技場内の暖房効果を高める効果も期待される。また一般に、パチンコ遊技場では、管理者が常駐していたり、セキュリティ設備が設けられていたりするので、マイニング装置の盗難等に対する安全面でも好ましい。
【０００８】
本開示の一態様によるパチンコ遊技場は、下記のように構成されて良い。
パチンコ遊技場は、当該パチンコ遊技場に設置される遊技機の遊技者が着座する着座部と、着座部において遊技者が着座する側の上側面とは反対側の下側面から下方に伸び、下端部が当該パチンコ遊技場の床に固定された支柱部と、を有する遊技機用椅子を備える。そして、遊技機用椅子の着座部の下側面に、マイニング装置が取り付けられても良い。
【０００９】
この構成によれば、遊技機用椅子にマイニング装置が取り付けられることにより、パチンコ遊技場におけるマイニング装置の設置場所が必然的に定まる。よって、パチンコ遊技場におけるマイニング装置のメンテナンスや管理が容易になる。
【００１０】
また、パチンコ遊技場には遊技機用椅子が複数設けられるため、複数のマイニング装置をパチンコ遊技場に設け易く、複数のマイニング装置を設けるためのスペースを別途確保する必要もなくなる。
【００１１】
ところで、マイニング装置が取り付けられる遊技機用椅子は、着座部が支柱部に対して床と平行な方向に所定長さだけスライドできるように構成されて良く、電源線及び通信ケーブルは、床から着座部の下側面に取り付けられたマイニング装置に向けて配設されて良い。そして、この場合、電源線及び通信ケーブルは、電源コネクタ及び通信コネクタがマイニング装置のコネクタ及び通信ポートに接続されている状態で、着座部が支柱部に対して所定長さだけスライドすることを妨げないように、弛みを持たせて配設されると良い。
【００１２】
この構成によれば、遊技機用椅子の着座部が支柱部に対してスライドすることを妨げないため、遊技機用椅子の使い勝手を低下させない。
【図面の簡単な説明】
【００１３】
【図１】実施形態のパチンコ遊技場の全体平面略図である。
【図２】遊技機用椅子にマイニングマシンが装着された状態を表す図である。
【図３】マイニングマシンの概略斜視図である。
【発明を実施するための形態】
【００１４】
以下、図面を参照しながら、本開示の実施形態を説明する。
［１．パチンコ遊技場の構成］
図１に示すように、パチンコ遊技場１には、複数のパチンコ島台２が並列に設置されている。パチンコ遊技場１は、いわゆるパチンコ店である。そして、パチンコ島台２の各々には、その長手方向に、複数の遊技機としてパチンコ機３が列設されている。パチンコ島台２における複数のパチンコ機３は、２つずつが裏側を向かい合わせにした状態で設けられている。また、パチンコ遊技場１において、パチンコ島台２同士の間及びパチンコ島台２と当該パチンコ遊技場１の壁面との間には、通路４が形成されている。更に、通路４において、各パチンコ機３に対向する位置には、パチンコ機３の遊技者が着座する遊技機用椅子（以下単に、椅子と言う）５がそれぞれ備えられている（図２参照）。パチンコ島台２同士の間の通路４では、各パチンコ島台２に対応する椅子５同士の間のスペースが、人が移動するための実際の通路となる。尚、図１に示されるパチンコ島台２、パチンコ機３及び椅子５の数は、一例である。
【００１５】
［２．椅子の構成］
図２に示すように、椅子５は、遊技者が着座する着座部１１と、着座部１１を支持する支柱部１３と、を備える。着座部１１には、当該着座部１１に着座した遊技者の背中がもたれかかる背もたれ部１５が、取り付けられている。
【００１６】
支柱部１３は、着座部１１において遊技者が着座する側の上側面とは反対側の下側面から下方に伸びている。そして、支柱部１３下端部１３ａは、パチンコ遊技場１の床７に固定されている。
【００１７】
また、着座部１１は、支柱部１３に対して床７と平行な方向に所定長さだけスライドできるように構成されている。例えば、椅子５に座ってパチンコ機３に向かう遊技者が、パチンコ機３から離れるように足に力を入れれば、着座部１１が支柱部１３に対して図２の矢印Ｙで示す方向へ所定長さだけスライドする。すると、着座部１１とパチンコ機３との距離が大きくなるため、遊技者は立ち上がり易くなる。
【００１８】
更に、着座部１１の下側面には、仮想通貨マイニングのための処理（以下、マイニング処理）を実施するマイニングマシン２１（図３参照）が取り付けられている。尚、マイニングマシン２１は、着脱可能であって良い。マイニングマシン２１及びマイニング処理については、後で説明する。
【００１９】
そして、床７から着座部１１の下側面に取り付けられたマイニングマシン２１に向けて、電源線２４と通信ケーブル２８が配設されている。
電源線２４は、マイニングマシン２１に電力を供給するための線である。そして、電源線２４の先端、即ち、マイニングマシン２１側の端には、マイニングマシン２１の後述するコネクタ３８（図３参照）に接続されることで、マイニングマシン２１に電力を供給する電源コネクタ２６が設けられている。尚、マイニングマシン２１のコネクタ３８は複数あるため、電源線２４及び電源コネクタ２６も、図示はされていないが複数組ある。
【００２０】
電源線２４の電源コネクタ２６側とは反対側は、図示されない電源装置に接続されている。この電源装置は、商用交流電源から、マイニングマシン２１が動作するための直流電源を生成して、電源線２４に出力する。
【００２１】
電源線２４は、例えば、上記電源装置からパチンコ遊技場１の床下を通って、床７から椅子５の支柱部１３の中に入り、支柱部１３に設けられた穴３１から外に出て、着座部１１のマイニングマシン２１まで伸びている。
【００２２】
一方、通信ケーブル２８は、マイニングマシン２１を通信ネットワークに接続するためのケーブルである。そして、通信ケーブル２８の先端には、マイニングマシン２１の後述する通信ポート４０（図３参照）に接続されることで、マイニングマシン２１を通信ネットワークに接続する通信コネクタ２９が設けられている。
【００２３】
例えば、マイニングマシン２１が接続される通信ネットワークは、インターネットであり、通信ケーブル２８は、ＬＡＮケーブルである。ＬＡＮは、ローカルエリアネットワークの略である。通信ケーブル２８の通信コネクタ２９とは反対側は、パチンコ遊技場１に設けられたネットワーク機器に接続される。そして、そのネットワーク機器と通信ケーブル２８を介してマイニングマシン２１がインターネットに接続されるようになっている。ネットワーク機器は、例えばルータやモデムやＯＮＵ（即ち、光回線終端装置）等である。尚、通信ネットワークは、インターネットに限らず、仮想通貨システムの専用ネットワークであっても良い。
【００２４】
通信ケーブル２８も、電源線２４と同様に、例えば、上記ネットワーク機器からパチンコ遊技場１の床下を通って、床７から椅子５の支柱部１３の中に入り、支柱部１３に設けられた穴３２から外に出て、着座部１１のマイニングマシン２１まで伸びている。
【００２５】
また、椅子５に配設される電源線２４及び通信ケーブル２８において、少なくとも支柱部１３の穴３１，３２から外に出ている部分は、電源コネクタ２６及び通信コネクタ２９がマイニングマシン２１のコネクタ３８及び通信ポート４０に接続されている状態で、着座部１１が支柱部１３に対して前記所定長さだけスライドしても、そのスライドを妨げないように弛みを持たせて配設されている。
【００２６】
［３．マイニングマシンの構成］
図３に示すように、マイニングマシン２１は、直方体状の筐体３５と、少なくとも１つの回路基板３６と、を備える。回路基板３６の数は、本実施形態では４つであるが、４つ以外の複数でも良いし、１つでも良い。尚、以下のマイニングマシン２１についての説明において、上下の方向は、図３における上下の方向である。
【００２７】
回路基板３６には、マイニング処理を実施するための電子回路の一部又は全部が形成されている。回路基板３６の大部分は、筐体３５内に入っているが、回路基板３６の上端部分は、筐体３５の上側面に形成された長方形状の穴３７から、筐体３５の外部に露出している。そして、回路基板３６において、筐体３５から露出した上端部分には、電力を受けるためのコネクタ３８が設けられている。このコネクタ３８と、前述の電源コネクタ２６は、着脱可能に勘合するように構成されている。尚、複数の回路基板３６同士が信号ケーブルによって接続される場合もある。
【００２８】
また、筐体３５の上側面には、直方体状の凸部３９が設けられている。そして、凸部３９には、当該マイニングマシン２１が通信ネットワーク上の他の装置と通信するための通信ポート４０が設けられている。この通信ポート４０と、前述の通信コネクタ２９は、着脱可能に勘合するように構成されている。また、通信ポート４０は、筐体３５の面のうち、図３における手前の面の方から、通信コネクタ２９が差し込まれるように設けられている。尚、マイニングマシン２１が他の装置と通信するとは、マイニングマシン２１に備えられた電子回路であって、例えば回路基板３６又は筐体３５内の他の回路基板に形成された電子回路が、他の装置と通信する、ということである。また、通信ポート４０は、本実施形態ではＬＡＮポートであるが、ＵＳＢポート等の他の種類の通信ポートでも良い。
【００２９】
また、筐体３５の面のうち、当該筐体３５の長手方向の両端面に相当する２つの各面には、筐体３５内を冷却するためのファン４１，４２が設けられている。そして、マイニングマシン２１においては、回路基板３６だけでなく、回路基板３６以外の回路基板及びファン４１，４２にも、コネクタ３８を介して電力が供給されるようになっている。つまり、マイニングマシン２１が動作するための電力は、コネクタ３８を介して供給される。
【００３０】
そして、マイニングマシン２１は、図２に示すように、図３における上側面が床７の方を向くように、つまり、コネクタ３８と凸部３９が下向きとなるように、椅子５の着座部１１に取り付けられている。
【００３１】
［４．作用］
椅子５に配設された電源線２４の電源コネクタ２６がマイニングマシン２１側のコネクタ３８に差し込まれて勘合することで、電源コネクタ２６の端子（図示省略）とコネクタ３８の端子３８ａ（図３参照）とが接続して、マイニングマシン２１に動作用の電力が供給される。また、椅子５に配設された通信ケーブル２８の通信コネクタ２９がマイニングマシン２１側の通信ポート４０に差し込まれて勘合することにより、通信コネクタ２９の端子（図示省略）と通信ポート４０の端子４０ａ（図３参照）とが接続して、マイニングマシン２１が通信ネットワークに接続される。このため、マイニングマシン２１を、パチンコ遊技場１で稼働させることができる。
【００３２】
［５．マイニングマシンで実施されるマイニング処理］
仮想通貨には、ブロックチェーンと呼ばれる技術が使用されており、その取引において、ハッシュ関数と公開鍵暗号方式とを用いることで、トランザクションの信頼性や安全性を担保している。ここで言うトランザクションとは、仮想通貨の取引の内容を示す取引情報のことである。
【００３３】
暗号技術を用いて生成されたトランザクションは、マイニング処理を行う端末（以下、マイナ端末と言う）の全てに対して、通信ネットワークを介しブロードキャストされる。ここで言うマイナ端末の中に、マイニングマシン２１が含まれる。送信されたトランザクションは、マイナ端末によって署名の検証がなされ、検証の結果、問題がなければ、ブロックに取り入れられる候補となる。マイナ端末は、ブロックを作成するが、ブロックのハッシュ値が、予め定められた所定条件を満たせば、そのブロックがマイナ端末からブロードキャストされ、ブロックチェーンに追加される。新規のトランザクションはブロックチェーンに追加されることで承認されることになる。
【００３４】
ここで、ブロックチェーンのブロックには、複数のトランザクションと、当該ブロックの一つ前のブロックのハッシュ値と、ブロックに対して求められる条件を満たす適切なナンス値とが、少なくとも格納されている。
【００３５】
そして、マイナ端末は、ブロックチェーンにブロックを追加する場合には、追加しようとする作成中のブロックに、通信ネットワークを介して収集した複数のトランザクションと、ブロックチェーンにおける現在末尾のブロックのハッシュ値と、任意のナンス値とを格納する。
【００３６】
更に、マイナ端末は、作成中のブロックに対して、ハッシュ関数を適用した場合のハッシュ値を計算し、計算したハッシュ値が所定条件を満たす値となるまで、作成中のブロックに格納するナンス値を変更して上記ハッシュ値の計算を繰り返す。尚、上記所定条件は、例えば、所定値以下、という条件である。
【００３７】
このように、新規のトランザクションを含むブロックのハッシュ値、即ち、ブロックチェーンに追加しようとするブロックのハッシュ値を計算して、そのハッシュ値が所定条件を満たすようになるナンス値（以下、目的のナンス値と言う）を探索するための計算処理が、マイニング処理である。
【００３８】
他のマイナ端末に先駆けて目的のナンス値を発見するためには膨大な計算量が必要であり、この計算量が膨大であることがブロックチェーンの内容の安全性、延いては、仮想通貨の安全性を担保する根拠となっている。また、仮想通貨のシステムでは、他のマイナ端末に先駆けて目的のナンス値を発見したマイナ端末の管理者、即ち、取引の承認に成功（いわゆるマイニングに成功）した者には、仮想通貨による所定額の報酬が与えられる。尚、マイニング処理に関しては、便宜上、マイニング（即ち、採掘）という一般的な言葉を使っているが、報酬の内容や報酬の有無を含むものではない。マイニング処理は、具体的例として前述の計算処理であるが、言い換えると、仮想通貨の取引（即ち、トランザクション）を承認するための処理であり、更に言い換えると、情報が格納されるブロックチェーンに新たなブロックを追加するための承認処理であると言える。
【００３９】
［６．効果］
以上詳述した実施形態によれば、以下の効果を奏する。尚、上記実施形態では、マイニングマシン２１がマイニング装置に相当する。
【００４０】
（６ａ）パチンコ遊技場１は、マイニングマシン２１に電力を供給するための電源線２４及び電源コネクタ２６と、マイニングマシン２１を通信ネットワークに接続するための通信ケーブル２８及び通信コネクタ２９と、を備える。
【００４１】
このため、パチンコ遊技場１において、マイニングマシン２１に電力を供給することと、マイニングマシン２１を通信ネットワークに接続することとを、簡単に実現することができ、マイニングマシン２１をパチンコ遊技場１で稼働させることができる。マイニングマシン２１は、マイニング処理を実施するために、多くの電力を消費すると共に、多くの熱を発する傾向にあるが、パチンコ遊技場１では、電力も十分に確保でき、空調（特に冷房）も完備されている。このため、マイニングマシン２１への安定した電力供給がし易く、マイニングマシン２１の過熱も回避し易い。
【００４２】
よって、マイニングマシン２１を安定して稼働させることができる。また、冬季においては、マイニングマシン２１の発熱により、パチンコ遊技場１内の暖房効果を高める効果も期待される。また一般に、パチンコ遊技場１では、管理者が常駐していたり、セキュリティ設備が設けられていたりするので、マイニングマシン２１の盗難等に対する安全面でも好ましい。
【００４３】
（６ｂ）パチンコ遊技場１における椅子５の着座部１１の下側面に、マイニングマシン２１が取り付けられているため、パチンコ遊技場１におけるマイニングマシン２１の設置場所が必然的に定まる。よって、パチンコ遊技場１におけるマイニングマシン２１のメンテナンスや管理が容易になる。また、パチンコ遊技場１には椅子５が複数設けられるため、複数のマイニングマシン２１をパチンコ遊技場１に設け易く、複数のマイニングマシン２１を設けるためのスペースを別途確保する必要もなくなる。
【００４４】
（６ｃ）椅子５には、床７から着座部１１の下側面に取り付けられたマイニングマシン２１に向けて、電源線２４及び通信ケーブル２８が配設されているが、その電源線２４及び通信ケーブル２８は、着座部１１が支柱部１３に対して所定長さだけスライドすることを妨げないように、弛みを持たせて配設されている。このため、椅子５の使い勝手を低下させない。
【００４５】
（６ｄ）パチンコ遊技場１では、マイニングマシン２１の稼働による仮想通貨の報酬、詳しくは目的のナンス値を発見して新たなブロックがブロックチェーンに追加された場合の報酬が、収入源として期待できる。よって、パチンコ遊技場１にとっては、マイニングマシン２１の稼働によって得られる前述の報酬を、例えば電力供給設備などの費用にあてることができる。また、上記報酬の実績値あるいは予想値と、マイニングマシン２１を稼働させるのに必要な経費（例えば電気料金）とに基づいて、マイニングマシン２１の稼働による利益が無いあるいは見込めないと判定したなら、マイニングマシン２１の稼働を停止させるように構成された制御装置を設けても良い。
【００４６】
（６ｅ）マイニングマシン２１をパチンコ遊技場１で稼働させることができるため、例えば、パチンコ遊技場１での所定期間における使用電力量の変動を抑制させ易い。
例えば、パチンコ遊技場１の営業中は、パチンコ機３とマイニングマシン２１とのうち、パチンコ機３の方を稼働させ、パチンコ遊技場１の閉店中は、マイニングマシン２１の方を稼働させるようにする制御装置を設ければ、１日における使用電力量の変動を抑制させ易い。このような構成により、パチンコ遊技場１にとっては、電気料金が安価に設定された所定の深夜時間帯の電力（即ち、深夜電力）を利用して、マイニングマシン２１を稼働させることができる。また、電力会社にとっても、パチンコ遊技場１での一日における使用電力量の変動が抑制されれば、給電計画を立案し易くなるという利点がある。また例えば、パチンコ機３が遊技者に使用されていないと判定している場合に、そのパチンコ機３に対応するマイニングマシン２１を稼働させるように構成された制御装置を設けても良い。パチンコ機３が使用されているか否かは、例えば、パチンコ機３における遊技球の発射装置が操作されているか否かによって判定されたり、パチンコ機３に対応する椅子５に人が座っているか否かによって判定されたりして良い。
【００４７】
［７．他の実施形態］
以上、本開示の実施形態について説明したが、本開示は上述の実施形態に限定されることなく、種々変形して実施することができる。
【００４８】
例えば、マイニングマシン２１は、パチンコ遊技場１におけるパチンコ島台２の内部又は上部や、パチンコ遊技場１における天井裏や壁の表面や壁の中等に、設けられても良い。そして、電源線２４及び通信ケーブル２８は、電源コネクタ２６及び通信コネクタ２９がマイニングマシン２１の設置場所に来るように配設されれば良い。
【００４９】
また、遊技機としては、パチンコ機に限らず、例えばスロットマシンでも良い。また、マイニングマシン２１が設けられる遊技場は、ゲームセンタ等、パチンコ遊技場以外の遊技場であっても良い。
また、マイニングマシン２１の構成として、例えば、ファン４１，４２の電力がコネクタ３８とは別のコネクタを介して供給されるようになっていても良い。この場合、パチンコ遊技場１（例えば椅子５）には、上記別のコネクタに接続される電力供給用の電源コネクタ及び電源線を設ければ良い。
また、マイニングマシン２１は、筐体３５を備えない形態であっても良い。例えば、マイニングマシン２１は、マイニング処理を含む各処理を実施するための電子回路が搭載された回路基板の形態であっても良い。また例えば、電源コネクタ２６と接続されるマイニングマシン２１側のコネクタ３８は、端子だけの構成であっても良く、同様に、通信コネクタ２９と接続されるマイニングマシン２１側の通信ポートは、端子だけの構成であっても良い。また逆に、電源コネクタ２６と通信コネクタ２９との両方又は一方が、ハウジングを備えない端子だけの構成であっても良い。
【００５０】
一方、マイニング装置としては、マイニング処理を実施するためのソフトウェアがインストールされたパーソナルコンピュータやタブレット型コンピュータ等の汎用コンピュータであっても良い。
【００５１】
また、パチンコ遊技場１でのマイニングマシン２１の稼働による仮想通貨の報酬を、例えば、当該パチンコ遊技場１における賞品として、あるいは、他のパチンコ遊技場における賞品として、あるいは、他の賭け事やイベントの賞品として、使用する賞品提供システム（賞品提供装置）があっても良い。他の賭け事としては、例えば、競馬、競艇、競輪、オートレースといった公営競技（いわゆる公営ギャンブル）や、宝くじ、ｔｏｔｏ等の公営くじや、ルーレットやトランプゲームやスロットマシン（ジャックポット付きのスロットマシンを含む）等のいわゆるカジノゲームであって良い。カジノゲームには、オンラインカジノ（ネットカジノとも呼ばれる）のゲームが含まれて良い。公営くじは公営ギャンブルの１つであるとも言える。また、イベントとしては、公営くじ以外のくじや、クイズ大会等であって良い。この場合、賞品提供システムは、例えば、各マイニングマシン２１の稼働によって得られた報酬としての仮想通貨を所定の口座（即ち、ウォレット）に蓄える蓄積部と、賞品提供対象の端末からの賞品要求を受けると、その賞品要求によって指示された量の仮想通貨を上記口座から上記賞品要求により指定された口座（即ち、仮想通貨アドレス）へ送金する処理を行う送金部と、を備える構成として良い。そして、賞品提供対象の端末は、例えば他のパチンコ遊技場や他の賭け事やイベントを管理する管理者の端末で良い。また、パチンコ遊技場１における遊技者の仮想通貨アドレスへ、上記賞品として仮想通貨が送金される場合、遊技者が賞品として得た仮想通貨のうち、遊技者が指定する量の仮想通貨を、次の遊技のための遊技媒体（例えば、遊技球やメダル）に換えることが可能な球貸装置が、パチンコ遊技場１に設置されても良い。
【００５２】
また、上記実施形態における１つの構成要素が有する複数の機能を、複数の構成要素によって実現したり、１つの構成要素が有する１つの機能を、複数の構成要素によって実現したりしても良い。また、複数の構成要素が有する複数の機能を、１つの構成要素によって実現したり、複数の構成要素によって実現される１つの機能を、１つの構成要素によって実現したりしても良い。また、上記実施形態の構成の一部を省略しても良い。
【符号の説明】
【００５３】
１…パチンコ遊技場、２…パチンコ島台、３…パチンコ機、４…通路、５…遊技機用椅子、７…床、１１…着座部、１３…支柱部、１３ａ…下端部、１５…背もたれ部、２１…マイニングマシン、２４…電源線、２６…電源コネクタ、２８…通信ケーブル、２９…通信コネクタ、３１，３２…穴、３５…筐体、３６…回路基板、３７…穴、３８…コネクタ、３９…凸部、４０…通信ポート、４１，４２…ファン、３８ａ，４０ａ…端子。
【図１】
2020075034.tif 000003
【図２】
2020075034.tif 000004
【図３】
2020075034.tif 000005